(57)【要約】【課題】構造が簡単で、小型、低コスト化でき、装着も容易な扉の押しボタン式ロックハンドル装置を提供する。【解決手段】ロックハンドル装置１は、扉４１に取り付けられるハンドル組立体２と、筐体３１に取り付けられ、扉４１の閉鎖時にそれの開口４３を介してハンドル組立体２に向けて突出するロックピン３とを具備する。ハンドル組立体２は、ハンドル本体４と、それの受け入れ孔５内にそれぞれ設けられる押しボタン６、コイルばね７、ロックリング８、偏向ワッシャ９を具備する。偏向ワッシャ９は、ロックリング８の後面の一部に当接し、それの軸線をロックピン３の軸線に対して傾けることによって、ロックピン３を軸線方向後方に拘束する。押しボタン６は、常時ロック位置に付勢され、非ロック位置において押圧面１９をロックリング８に当接させ、それの軸線をロックピン３の軸線に一致させることによりロックピン３を解放する。【選択図】図１
2012172434.tif 000002
【特許請求の範囲】
【請求項１】
筐体の開口を開閉するための扉の前面側に取り付けられるハンドル組立体と、筐体の開口を囲む枠体の前面側に取り付けられ、扉の閉鎖時にそれの開口を介して前記ハンドル組立体に向けて突出するロックピンとを具備し、
前記ハンドル組立体は、扉の前面側に固着され、扉の開口から突出する前記ロックピンの先端側を同軸的に受け入れる受け入れ孔を有するハンドル本体と、
前記受け入れ孔内に、これと同軸的に挿入され、前方に突出したロック位置と、後方向に押し込まれた非ロック位置との間を移動自在で、後端に軸線に直交する押圧面を有すると共に、当該押圧面に開口する同軸のばね受け凹部を有する押しボタンと、
前記押しボタンのばね受け凹部に前端側が挿入され、後端側が当該ばね受け凹部から後方へ突出するように、前記受け入れ孔内に挿入されるコイルばねと、
前記コイルばねの後方に位置して、前記受け入れ孔内に挿入され、中心に前記ロックピンの先端部を貫通させる挿通孔を有するロックリングと、
前記ロックリングの後方に位置して前記受け入れ孔内に固定され、ロックリングの後面の一部に当接してロックリングの軸線を前記ロックピンの軸線に対して傾けることによって、挿通孔の内周をロックピンの外周に摩擦係合させ、それによってロックピンを軸線方向後方に拘束する偏向ワッシャとを具備し、
前記押しボタンは、前記コイルばねにより常時ロック位置に付勢され、非ロック位置において押圧面を前記ロックリングに当接させて、それの軸線を前記ロックピンの軸線に一致させることにより、ロックリングの挿通孔の内周とロックピンの外周との摩擦係合を解いてロックピンを解放するように構成されることを特徴とする扉の押しボタン式ロックハンドル装置。
【発明の詳細な説明】
【技術分野】
【０００１】
この発明は、扉を閉じると自動的にロックし、押しボタンを押すことにより、ロックを解除して扉を開くことができる押しボタン式のロックハンドル装置に関するものである。
【背景技術】
【０００２】
押しボタンを押すことにより、ロックが解除されるドアロック装置として、特許文献1に記載されたものが知られている。このドアロック装置は、ハンドルの取付孔に前後動可能に取り付けられた押しボタンと、押しボタンに取り付けられた押しボタン軸と、押しボタンの裏面側に設けられたサポートプレートと、サポートプレートと押しボタンとの間に設けられ、押しボタン軸の裏面側への移動を妨げるように付勢する弾性部材と、押しボタン軸の先端に取り付けられ、サポートプレートの裏面側に位置する保持部材と、サポートプレートの裏面側であって、押しボタン軸の下方の位置に取り付けられた回転軸と、回転軸を中心に揺動可能に取り付けられた斜め下方に下がる下方部を備えるとともに、サポートプレートと保持部材との間で保持される上方部を備えるロックプレートと、ロックプレートの前方側に位置し、ロックプレートの下方部が上方へ揺動した場合に係合してドアをロックすることができる係合部とを備えるものである。
【先行技術文献】
【特許文献】
【０００３】
【特許文献１】特開２００４−１７８０６６号公報
【発明の概要】
【発明が解決しようとする課題】
【０００４】
上記従来のドアロック装置は、比較的構造が複雑で、製造コストが高くなり、また筐体やドアへの装着に手数を要するという問題点がある。
したがって、この出願に係る発明は、構造が簡単で、小型化、低コスト化でき、装着も容易な扉の押しボタン式ロックハンドル装置を提供することを目的する。
【課題を解決するための手段】
【０００５】
以下、添付図面の符号を参照して説明するが、本発明はこれに限定されるものではない。
上記課題を解決するための、この出願に係る発明のロックハンドル装置１は、筐体３１の開口を開閉するための扉４１の前面側４２に取り付けられるハンドル組立体２と、筐体３１の開口を囲む枠体の前面３２側に取り付けられ、扉４１の閉鎖時にそれの開口４３を介してハンドル組立体２に向けて突出するロックピン３とを具備する。ハンドル組立体２は、ハンドル本体４と、ハンドル本体４の受け入れ孔５内にそれぞれ設けられる押しボタン６、コイルばね７、ロックリング８、偏向ワッシャ９を具備する。ハンドル本体４は、扉４１の前面４２側に固着され、扉４１の開口４３から突出するロックピン３の先端側を同軸的に受け入れる受け入れ孔５を有する。押しボタン６は、受け入れ孔５内に、これと同軸的に挿入され、前方に突出したロック位置と、後方向に押し込まれた非ロック位置との間を移動自在で、後端に軸線に直交する押圧面１９を有すると共に、当該押圧面１９に開口する同軸のばね受け凹部２０を有する。コイルばね７は、前端側が押しボタン６のばね受け凹部２０に挿入され、後端側が当該ばね受け凹部２０から後方へ突出するように、受け入れ孔５内に挿入される。ロックリング８は、コイルばね７の後方に位置して受け入れ孔５内に挿入され、中心にロックピン３の先端部を貫通させる挿通孔２１を有する。偏向ワッシャ９は、ロックリング８の後方に位置して受け入れ孔５内に固定され、ロックリング８の後面の一部に当接してロックリング８の軸線をロックピン３の軸線に対して傾けることによって、挿通孔２１の内周をロックピン３の外周に摩擦係合させ、それによってロックピン３を軸線方向後方に拘束する。押しボタン６は、コイルばね７により、常時ロック位置に付勢され、非ロック位置において押圧面１９をロックリング８に当接させ、それの軸線をロックピン３の軸線に一致させることにより、挿通孔２１の内周とロックピン３の外周との摩擦係合を解いてロックピン３を解放するように構成される。
【発明の効果】
【０００６】
この出願に係る発明の装置によれば、構造が簡単で、小型化、低コスト化でき、装着も容易な扉の押しボタン式ロックハンドル装置を提供できる。
【図面の簡単な説明】
【０００７】
【図１】この発明に係るロックハンドル装置の断面図である。
【図２】図１のロックハンドル装置のロック状態の断面図である。
【図３】図１のロックハンドル装置の非ロック状態の断面図である。
【図４】図１のロックハンドル装置におけるハンドル本体の正面図である。
【発明を実施するための形態】
【０００８】
図面を参照してこの発明の実施の形態を説明する。
ロックハンドル装置１は、ハンドル組立体２と、これに係合するロックピン３とを具備する。ハンドル組立体２は、筐体３１の開口を開閉するための扉４１の前面４２側に取り付けられる。ロックピン３は、筐体３１の開口を囲む枠体の前面３２側に、前方に向けて垂直に起立するように取り付けられる。扉４１は、閉鎖時にロックピン３を前方へ貫通させる開口４３を具備する。ロックピン３は、扉４１の閉鎖時に、開口４３介してハンドル組立体２に向けて突出する。
【０００９】
ハンドル組立体２は、ハンドル本体４と、ハンドル本体の受け入れ孔５内にそれぞれ設けられる押しボタン６、コイルばね７、ロックリング８、偏向ワッシャ９を具備する。
【００１０】
ハンドル本体４は、一端側のヘッド部１０及び他端側の脚部１１と、両者間をつなぐ握り部１２とを具備し、ヘッド部１０において外側フランジ付きの雄ねじ筒１３で、また脚部１１においてボルト１４で、扉４１の前面４２に固着される。
【００１１】
受け入れ孔５は、扉の前面４２に対して垂直方向に、開口４３と同軸的に、ヘッド部１０を貫通して設けられ、したがって、扉の開口４３から突出するロックピン３の先端側を同軸的に受け入れることができる。受け入れ孔５は、中間に段部１５を有し、この段部に係合する外側フランジを有する雌ねじ筒１６が受け入れ孔５内に挿入される。扉４１の背面側から開口４３に挿入される雄ねじ筒１３が、扉４１を挟んで雌ねじ筒１６に螺合されることでヘッド部１０が扉４１に固定される。
【００１２】
受け入れ孔５内の段部１５より前方に、ガイド筒１７が圧入固定される。ガイド筒１７は、予め内側に押しボタン６、コイルばね７、ロックリング８、偏向ワッシャ９を組み付けた状態で受け入れ孔５内に挿入、固定される。
【００１３】
押しボタン６は、ガイド筒１７内に、これと同軸的に挿入され、前方に突出したロック位置（図２）と、後方向に押し込まれた非ロック位置（図３）との間を移動自在であり、段部１８によってロック位置で抜け止めされる。押しボタン６は、後端に軸線に直交する押圧面１９を有すると共に、当該押圧面１９側に開口するばね受け凹部２０を有する。
【００１４】
コイルばね７は、前端側が押しボタンのばね受け凹部２０に挿入され、後端側が当該ばね受け凹部２０から後方へ突出し、後端がロックリング８に当接する。
【００１５】
ロックリング８は、ガイド筒１７内に緩く挿入されており、ロックピン３の先端部を緩く貫通させる挿通孔２１を中心に有する。
【００１６】
偏向ワッシャ９は、ロックピン３を自在に貫通させることができるように、ガイド筒１７の後端部にカシメ止めされる。偏向ワッシャ９は、ロックリング８の後面の一部に先端が当接する起立片２２を有する。起立片２２は、ロックリング８の軸線をロックピン３の軸線に対して傾けることによって、挿通孔２１の内周をロックピン３の外周に摩擦係合させ、それによって常時はロックピン３を軸線方向後方に抜け止めする。
【００１７】
図１，２に示すように、押しボタ６ンは、常時はコイルばね７によりガイド筒１７から前方へ突出したロック位置に付勢される。図３に示すように、ガイド筒１７内へ押し込まれた非ロック位置において、押圧面１９をロックリング８に当接させ、それの軸線をロックピン３の軸線に一致させることにより、挿通孔２１の内周とロックピン３の外周との摩擦係合を解いてロックピン３を解放する。
【００１８】
扉４１を閉めると、図２に示すように、ロックピン３が、扉の開口４３を貫通し、雄ねじ筒１３、雌ねじ筒１６、ガイド筒１７を介してハンドル本体４の受け入れ孔５内へ進入し、偏向ワッシャ９を貫通し、さらにロックリング８を前方へ押しつつ、それの挿通孔２１を貫通する。ロックリング８は、コイルばね７により偏向ワッシャ９の起立片２２に押しつけられ、その軸線をロックピン３の軸線に対して傾けた状態で保持される。この状態で扉４１を開く方向（前方）に引いても、ロックリング８の挿通孔２１の内周がロックピン３の外周に噛んでいるために、ロックピン３がハンドル本体４から抜けず、したがって、扉４１は閉鎖状態でロックされる。
【００１９】
この状態から、ハンドル本体４の握り部１２を握って、図３に示すように、コイルばね７に抗して押しボタン６を非ロック位置へ押し込むと、押圧面１９がロックリング８の傾きを矯正しつつ、それの前面に密着する。この状態で、ロックリング８の軸線がロックピン３の軸線に一致するので、ロックリング８とロックピン３との噛み合いがなくなり、ロックピン３はハンドル本体４から解放される。押しボタン６を押し込んだまま、ハンドル本体４を前方へ引けば、扉４１を開くことができる。
ロックリング８とロックピン３との係合位置は、ロックピン３の軸線方向所定の範囲で任意であるから、筐体３１と扉４１との間にパッキング等が介設される場合に、それの圧縮代を一定範囲で任意に調整できる。
【符号の説明】
【００２０】
１    ロックハンドル装置
２    ハンドル組立体
３    ロックピン
４    ハンドル本体
５    受け入れ孔
６    押しボタン
７    コイルばね
８    ロックリング
９    偏向ワッシャ
１０  ヘッド部
１１  脚部
１２  握り部
１３  雄ねじ筒
１４  ボルト
１５  段部
１６  雌ねじ筒
１７  ガイド筒
１８  段部
１９  押圧面
２０  ばね受け凹部
２１  挿通孔
２２  起立片
３１  筐体
３２  前面
４１  扉
４２  前面
４３  開口
【図１】
2012172434.tif 000003
【図２】
2012172434.tif 000004
【図３】
2012172434.tif 000005
【図４】
2012172434.tif 000006